【手続補正書】
【提出日】平成23年8月9日(2011.8.9)
【手続補正１】
【補正対象書類名】特許請求の範囲
【補正対象項目名】全文
【補正方法】変更
【補正の内容】
【特許請求の範囲】
【請求項１】
第１始動口と第２始動口とを有し、前記第１始動口又は前記第２始動口に遊技球が入球したことを条件として大当たりの抽選を行い、特別図柄の変動表示を開始して所定時間経過後に該変動表示を前記抽選の結果に応じた特別図柄で停止させると共に、特別図柄の変動表示中に各種演出を行う遊技機であって、
特別図柄の変動表示中に、前記第１始動口又は第２始動口に遊技球が入球したとき、当該入球に基づく特別図柄の変動表示を保留として記憶する保留手段と、
前記保留手段に記憶されている保留数に応じた保留表示を行う表示手段と、
前記保留手段に保留が記憶されることに伴い、当該保留に基づく特別図柄の変動表示の開始前に事前判定を行う事前判定手段と、
を備え、
前記表示手段は、前記事前判定手段における事前判定に当選した場合において、その事前判定に当選した当該保留に対応する保留表示を表示する際、事前判定に当選しない場合の通常の表示態様とは異なる第１の表示態様で表示し、その後、当該保留に基づく特別図柄の変動表示が開始されるまでに、当該保留に対応する保留表示を、前記第１の表示態様から、前記第１の表示態様とは異なる第２の表示態様に変化させることを特徴とする遊技機。
【請求項２】
第１始動口と第２始動口とを有し、前記第１始動口又は前記第２始動口に遊技球が入球したことを条件として大当たりの抽選を行い、特別図柄の変動表示を開始して所定時間経過後に該変動表示を前記抽選の結果に応じた特別図柄で停止させると共に、特別図柄の変動表示中に各種演出を行う遊技機であって、
特別図柄の変動表示中に、前記第１始動口又は第２始動口に遊技球が入球したとき、当該入球に基づく特別図柄の変動表示を保留として記憶する保留手段と、
前記保留手段に記憶されている保留数に応じた保留表示を行う表示手段と、
前記保留手段に保留が記憶されることに伴い、当該保留に基づく特別図柄の変動表示の開始前に事前判定を行う事前判定手段と、
を備え、
前記表示手段は、前記事前判定手段における事前判定に当選した場合において、その事前判定に当選した当該保留に対応する保留表示を表示する際、事前判定に当選しない場合の通常の表示態様とは異なる第１の表示態様で表示し、その後、当該保留に基づく特別図柄の変動表示が開始されるまでに、当該保留に対応する保留表示を、前記第１の表示態様とは異なる表示態様であって、前記第１の表示態様よりも遊技者の期待感を増大させる第２の表示態様に変化させることを特徴とする遊技機。
【手続補正２】
【補正対象書類名】明細書
【補正対象項目名】０００６
【補正方法】変更
【補正の内容】
【０００６】
しかしながら、従来の遊技機は、複数の保留に基づき複数回の特別図柄の変動表示にわたって同じ内容の演出を繰り返し行うだけであるので、保留が順に消化され、特別図柄の変動表示が連続的に行われていったとしても、遊技者の期待感を徐々に高めていくような演出を行うようにはなっていない。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
そこで本発明は、上記課題を解決することを目的としてなされたものであり、複数回の特別図柄の変動表示が連続的に行われる場合に、遊技者の期待感を高揚させていくことを可能にする遊技機を提供するものである。
【手続補正７】
【補正対象書類名】明細書
【補正対象項目名】００１１
【補正方法】変更
【補正の内容】
【００１１】
上記目的を達成するため、請求項１にかかる発明は、第１始動口と第２始動口とを有し、前記第１始動口又は前記第２始動口に遊技球が入球したことを条件として大当たりの抽選を行い、特別図柄の変動表示を開始して所定時間経過後に該変動表示を前記抽選の結果に応じた特別図柄で停止させると共に、特別図柄の変動表示中に各種演出を行う遊技機であって、特別図柄の変動表示中に、前記第１始動口又は第２始動口に遊技球が入球したとき、当該入球に基づく特別図柄の変動表示を保留として記憶する保留手段と、前記保留手段に記憶されている保留数に応じた保留表示を行う表示手段と、前記保留手段に保留が記憶されることに伴い、当該保留に基づく特別図柄の変動表示の開始前に事前判定を行う事前判定手段と、を備え、前記表示手段は、前記事前判定手段における事前判定に当選した場合において、その事前判定に当選した当該保留に対応する保留表示を表示する際、事前判定に当選しない場合の通常の表示態様とは異なる第１の表示態様で表示し、その後、当該保留に基づく特別図柄の変動表示が開始されるまでに、当該保留に対応する保留表示を、前記第１の表示態様から、前記第１の表示態様とは異なる第２の表示態様に変化させることを特徴としている。
【手続補正８】
【補正対象書類名】明細書
【補正対象項目名】００１２
【補正方法】変更
【補正の内容】
【００１２】
請求項２にかかる発明は、第１始動口と第２始動口とを有し、前記第１始動口又は前記第２始動口に遊技球が入球したことを条件として大当たりの抽選を行い、特別図柄の変動表示を開始して所定時間経過後に該変動表示を前記抽選の結果に応じた特別図柄で停止させると共に、特別図柄の変動表示中に各種演出を行う遊技機であって、特別図柄の変動表示中に、前記第１始動口又は第２始動口に遊技球が入球したとき、当該入球に基づく特別図柄の変動表示を保留として記憶する保留手段と、前記保留手段に記憶されている保留数に応じた保留表示を行う画像表示手段と、前記保留手段に保留が記憶されることに伴い、当該保留に基づく特別図柄の変動表示の開始前に事前判定を行う事前判定手段と、を備え、前記画像表示手段は、前記事前判定手段における事前判定に当選した場合において、その事前判定に当選した当該保留に対応する保留表示を表示する際、事前判定に当選しない場合の通常の表示態様とは異なる第１の表示態様で表示し、その後、当該保留に基づく特別図柄の変動表示が開始されるまでに、当該保留に対応する保留表示を、前記第１の表示態様とは異なる表示態様であって、前記第１の表示態様よりも遊技者の期待感を増大させる第２の表示態様に変化させることを特徴としている。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】変更
【補正の内容】
【００１７】
本発明の請求項１にかかる遊技機によれば、保留手段に保留が記憶されることに伴って行われる事前判定に当選すると、当該保留に対応する保留表示は、事前判定に当選しない場合の通常の表示態様とは異なる第１の表示態様で表示される。そして、その後、当該保留に基づく特別図柄の変動表示が開始されるまでに、当該保留に対応する保留表示は、第１の表示態様から、さらに異なる第２の表示態様に変化する。
また本願の請求項２にかかる遊技機によれば、保留手段に保留が記憶されることに伴って行われる事前判定に当選すると、当該保留に対応する保留表示は、事前判定に当選しない場合の通常の表示態様とは異なる第１の表示態様で表示される。そして、その後、当該保留に基づく特別図柄の変動表示が開始されるまでに、当該保留に対応する保留表示は、第１の表示態様とは異なる表示態様であって、第１の表示態様よりも遊技者の期待感を増大させる第２の表示態様に変化する。
したがって、複数回の特別図柄の変動表示が連続的に行われる場合には、遊技者の期待感を高揚させていくことが可能である。
【手続補正１４】
【補正対象書類名】明細書
【補正対象項目名】０２２３
【補正方法】変更
【補正の内容】
【０２２３】
例えば、上記実施形態では、第１始動口１９に遊技球が入球した場合にのみ、事前判定に当選してステップアップ連続演出が設定される場合を例示した。しかし、これに限定するものではなく、第２始動口２１に遊技球が入球した場合にも事前判定処理を行うようにし、その事前判定に当選した場合にはステップアップ連続演出の設定を行うようにしても良い。但し、この場合はステップアップ連続演出として効果的な演出を行うためには、それ以前に消化される変動表示として所定球数以上（例えば３個以上）の保留が第２変動表示保留部１１４に記憶されていることが好ましい。
ところで、従来の連続的な演出は、複数回の特別図柄の変動表示にわたって同じ内容の演出を行うので、特別図柄の変動表示が行われる都度、遊技者の期待感を徐々に高めていくような演出にはなっていない。
一方、近年の遊技機には、第１始動口と第２始動口への入球を個別に検知してそれぞれの始動口への入球を個別に保留していくものも存在する。このような遊技機では、第１始動口と第２始動口への入球順に保留を消化していくのではなく、第２始動口に入球して保留された変動表示を、第１始動口に入球して保留された変動表示よりも優先的に消化していくように構成されている。例えば、特別図柄の変動表示中に、第１始動口に遊技球が２個入球した後、第２始動口に遊技球が１個入球した場合、現在の変動表示終了後、第２始動口に入球して保留された変動表示が優先的に行われ、その後、第１始動口に入球して保留された変動表示がその入球順に従って消化される。
このような遊技機の場合、上述した従来の複数回の特別図柄の変動表示にわたる連続的な演出を設定すると、次のような問題が生じる。例えば、特別図柄の変動表示中に、第１始動口の保留数が４個となり、且つその４つ目の保留球によってその後の４回の特別図柄の変動表示において行う連続的な演出が設定された場合、その連続的な演出が開始される前に、或いは、その連続的な演出が既に開始している際に、第２始動口に遊技球が入球してしまうと、その第２始動口への入球に伴う特別図柄の変動表示が優先的に行われる。この場合、その優先的に行われる特別図柄の変動表示時に、４回の特別図柄の変動表示において行う連続的な演出のうちの１回の演出を行ってしまうこととなり、第１始動口に入球した４つ目の保留に基づく特別図柄の変動表示時には、既に４回分の連続的な演出が終了してしまっており、当該変動表示時には設定された連続的な演出が行われないという問題がある。またこのような場合、連続的な演出が設定された後の４回目の特別図柄の変動表示時には、リーチ演出すら発生しない可能性があり、４回目の変動表示が大当たりに当選するかもしれないという遊技者の期待感を損ねる演出になってしまうという問題もある。
一方、連続的な演出が既に開始している際に第２始動口に遊技球が入球した場合、その第２始動口への入球に基づいて優先的に行われる特別図柄の変動表示時には、連続的な演出を行わないように構成することも考えられる。しかしこの場合は、複数回の特別図柄の変動表示にわたって連続的に行うための演出が、途中で途切れることとなる。そして連続的な演出の途中で、前後の演出とは何ら関連性のない演出が割り込んで行われる。そのため、遊技者の興趣が連続的な演出の途中で低下することとなり、効果的な演出を行うことができなくなるという問題がある。
上述した実施形態には、このような問題点を解決することを目的としてなされた発明が含まれている。すなわち、上記実施形態は、複数回の連続した特別図柄の変動表示にわたって遊技者の期待感を徐々に高揚させていくことを可能にすると共に、連続的な演出が設定された状態でその連続的な演出の開始前、或いは既に開始されている際に第２始動口に入球した場合でも、連続的な演出を有効に継続することができるようにして遊技者の興趣を高める効果的な演出を行うようにした遊技機を提供するものでもある。
より具体的に説明すると、上述した実施形態には、次のような構成を有する発明が含まれる。
第１の構成は、「第１始動口と第２始動口とを有し、前記第１始動口又は前記第２始動口に遊技球が入球したことを条件として大当たりの抽選を行い、特別図柄の変動表示を開始して所定時間経過後に該変動表示を前記抽選の結果に応じた特別図柄で停止させると共に、特別図柄の変動表示中に各種演出を行う遊技機であって、前記第１始動口又は第２始動口に遊技球が入球したことを条件として遊技データを取得した後に大当たりの抽選を行う遊技データ取得手段と、特別図柄の変動表示中に前記第１始動口に遊技球が入球した個数を記憶して、当該入球に基づく特別図柄の変動表示を保留する第１変動表示保留手段と、特別図柄の変動表示中に前記第２始動口に遊技球が入球した個数を記憶して、当該入球に基づく特別図柄の変動表示を保留し、前記第１変動表示保留手段よりも優先的に保留を消化する第２変動表示保留手段と、前記第１変動表示保留手段又は前記第２変動表示保留手段に遊技球の入球が記憶されたとき、当該入球に基づく特別図柄の変動表示の開始前に、当該入球を契機として、前記遊技データ取得手段により取得された遊技データを判定する事前判定手段と、前記事前判定手段の判定結果に基づいて、前記第１変動表示保留手段と前記第２変動表示保留手段との保留数分に対応した複数回の特別図柄の変動表示にわたって段階的にステップアップしていくステップアップ連続演出を設定する連続演出設定手段と、前記連続演出設定手段によって設定されたステップアップ連続演出が開始している際に、前記第２始動口に遊技球が入球した場合、当該入球時において前記第２変動表示保留手段に遊技球の入球が記憶されていなければ、当該入球に基づく特別図柄の変動表示における演出として、当該入球時の変動表示中に行われた演出の次の段階となる演出を設定し、当該入球に基づく特別図柄の変動表示後に順次消化される保留数分の特別図柄の変動表示に対して設定されていたステップアップ連続演出をそれぞれ１段階ずつステップアップさせて再設定する連続演出再設定手段とを備えることを特徴とする遊技機。」である。
ここでステップアップ連続演出における連続演出とは、複数回の特別図柄の変動表示にわたって連続的に行われる演出であって、それぞれの演出内容が互いに関連した内容となっており、後に行われる演出が先に行われた演出の続きであることを遊技者に連想させるような演出を意味する。
この第１の構成によれば、事前判定手段の判定結果に基づいて設定される連続的な演出は、複数回の特別図柄の変動表示にわたって段階的にステップアップしていく演出であるので、特別図柄の変動表示が行われる都度、遊技者の期待感を徐々に高めていくことができるようになる。また、ステップアップ連続演出が既に開始している際に、第２始動口に遊技球が入球した場合、当該入球時において第２変動表示保留手段に遊技球の入球が記憶されていなければ、当該入球に基づく特別図柄の変動表示における演出として、当該入球時の変動表示中に行われた演出の次の段階となる演出を設定し、当該入球に基づく特別図柄の変動表示後に順次消化される保留数分の特別図柄の変動表示に対して設定されていたステップアップ連続演出をそれぞれ１段階ずつステップアップさせて再設定するので、ステップアップ連続演出が途中で途切れることはなく、また第２始動口への入球に伴って優先的に行われる特別図柄の変動表示時にも、その直前の演出から１段階ステップアップさせた演出を行うことができる。そしてステップアップ連続演出を設定することとなった保留に基づく特別図柄の変動表示時において既にステップアップ連続演出が終了してしまっているという問題を解決することができる。
また第２の構成は、「第１の構成の遊技機において、前記連続演出再設定手段は、前記連続演出設定手段によって設定されたステップアップ連続演出が開始している際に、前記第２始動口に遊技球が入球した場合、当該入球時において前記第２変動表示保留手段に遊技球の入球が記憶されていれば、前記第２変動表示保留手段の最後の保留の消化時に行われる演出の次の段階となる演出を設定し、当該入球に基づく特別図柄の変動表示後に順次消化される保留数分の特別図柄の変動表示に対して設定されていたステップアップ連続演出をそれぞれ１段階ずつステップアップさせて再設定することを特徴とする遊技機。」である。
また第３の構成は、「第１始動口と第２始動口とを有し、前記第１始動口又は前記第２始動口に遊技球が入球したことを条件として大当たりの抽選を行い、特別図柄の変動表示を開始して所定時間経過後に該変動表示を前記抽選の結果に応じた特別図柄で停止させると共に、特別図柄の変動表示中に各種演出を行う遊技機であって、前記第１始動口又は第２始動口に遊技球が入球したことを条件として遊技データを取得した後に大当たりの抽選を行う遊技データ取得手段と、特別図柄の変動表示中に前記第１始動口に遊技球が入球した個数を記憶して、当該入球に基づく特別図柄の変動表示を保留する第１変動表示保留手段と、特別図柄の変動表示中に前記第２始動口に遊技球が入球した個数を記憶して、当該入球に基づく特別図柄の変動表示を保留し、前記第１変動表示保留手段よりも優先的に保留を消化する第２変動表示保留手段と、前記第１変動表示保留手段又は前記第２変動表示保留手段に遊技球の入球が記憶されたとき、当該入球に基づく特別図柄の変動表示の開始前に、当該入球を契機として、前記遊技データ取得手段により取得された遊技データを判定する事前判定手段と、前記事前判定手段の判定結果に基づいて、前記第１変動表示保留手段と前記第２変動表示保留手段との保留数分に対応した複数回の特別図柄の変動表示にわたって段階的にステップアップしていくステップアップ連続演出を設定する連続演出設定手段と、前記第２変動表示保留手段に遊技球の入球が記憶されている状態で前記連続演出設定手段によりステップアップ連続演出が設定されており、該ステップアップ連続演出が開始される前に、前記第２始動口に遊技球が入球した場合、前記連続演出設定手段により設定されたステップアップ連続演出を再設定する連続演出再設定手段とを備えることを特徴とする遊技機。」である。
第２又は第３の構成においても、ステップアップ連続演出が途中で途切れることはなく、また第２始動口への入球に伴って優先的に行われる特別図柄の変動表示時にも、その直前の演出から１段階ステップアップさせた演出を行うことができる。そしてステップアップ連続演出を設定することとなった保留に基づく特別図柄の変動表示時において既にステップアップ連続演出が終了してしまっているという問題を解決することができる。
すなわち、上記のような遊技機によれば、複数回の特別図柄の変動表示にわたって段階的にステップアップしていくステップアップ連続演出が設定されるので、複数回の連続した特別図柄の変動表示において遊技者の期待感を徐々に高揚させていくことが可能である。またステップアップ連続演出が開始される前に、或いは、ステップアップ連続演出が既に開始している際に、第２始動口に遊技球が入球した場合でも、ステップアップ連続演出を有効に継続することができ、しかも遊技者が大当たりに当選するかもしれないことを期待する特別図柄の変動表示時には、ステップアップ連続演出の最終ステップの演出を行うことができ、遊技者の期待感を最高潮に至らしめることができる。